(57)【要約】  【課題】レンズ鏡筒の移動精度を容易に向上できる鏡筒支持装置を提供する。  【解決手段】鏡筒11を取り付けた被移動部材32を、光軸と交差する垂直方向及び水平方向に沿って移動可能に固定部材31で支持する。鏡筒11を取り付けた被移動部材32の重心Ｇを通り被移動部材32の移動方向に沿う仮想線L1，L2を挟む両側で移動手段33a，33bが被移動部材32に外力を作用させて被移動部材32を固定部材31に対して移動させることで、被移動部材32が移動方向に対して重心Ｇを中心として回転することを防止し、鏡筒11の移動精度を容易に向上できる。  【選択図】図１
2005195702.tif 000002
【特許請求の範囲】
【請求項１】
光学機器本体に対して鏡筒を光軸と交差する方向に沿って移動可能に支持する鏡筒支持装置であって、
前記鏡筒が取り付けられる被移動部材と、
この被移動部材を光軸と交差する方向に沿って移動可能に支持する固定部材と、
前記被移動部材の重心を通りこの被移動部材の移動方向に沿う仮想線を挟む両側で前記被移動部材に外力を作用させてこの被移動部材を前記固定部材に対して移動させる移動手段と
を具備したことを特徴とした鏡筒支持装置。
【請求項２】
移動手段は、
固定部材に設けられ光軸と交差する方向に沿って配置される回動軸と、
この回動軸と一体的に設けられ、この回動軸の回転に伴いこの回動軸の周方向に沿って揺動し、この揺動方向に沿って被移動部材に当接する揺動部材とを備えている
ことを特徴とした請求項１記載の鏡筒支持装置。
【請求項３】
移動手段は、互いに略直交する二方向に回動軸がそれぞれ沿うように対をなして配置され、
各揺動部材と被移動部材とは、互いに他方の前記揺動部材による前記被移動部材の移動方向に沿って配置された当接部を備えている
ことを特徴とした請求項２記載の鏡筒支持装置。
【請求項４】
被移動部材を固定部材に対して付勢する弾性部材
を具備したことを特徴とした請求項１ないし３いずれか一記載の鏡筒支持装置。
【請求項５】
光源と、
この光源から照射された光線を変調する光変調手段と、
この光変調手段で変調された光線を投射する鏡筒と、
光学機器本体と、
この光学機器本体に対して前記鏡筒を移動可能に支持する請求項１ないし４いずれか一記載の鏡筒支持装置と
を具備したことを特徴としたプロジェクタ装置。
【請求項６】
光源と、
この光源から照射された光線を変調する光変調手段と、
この光変調手段で変調された光線を投射する鏡筒と、
光学機器本体と、
この光学機器本体に対して前記鏡筒を移動可能に支持する請求項２ないし４いずれか一記載の鏡筒支持装置と、
この鏡筒支持装置の回動軸に設けられ、この回動軸の周方向にピッチを有する第１の歯車と、
回転可能に設けられ、前記光学機器本体に対する前記鏡筒の突出方向に沿って突出した回転操作手段と、
この回転操作手段の回転を前記第１の歯車に伝達する第２の歯車と
を具備したことを特徴としたプロジェクタ装置。
【発明の詳細な説明】
【技術分野】
【０００１】
本発明は、光学機器本体に対して鏡筒を光軸と交差する方向に沿って移動可能に支持する鏡筒支持装置及びこれを備えたプロジェクタ装置に関する。
【背景技術】
【０００２】
従来、例えば、光源から照射された光線を液晶パネルで変調し、鏡筒のレンズを介してスクリーンに投射するプロジェクタ装置が知られており、この種のプロジェクタには、投射像の位置の調整などのため、鏡筒を光軸と直交する水平方向及び垂直方向に移動(シフト)可能に支持する鏡筒支持装置が用いられている。
【０００３】
そして、この種の鏡筒支持装置は、鏡筒を支持するマウント部を備えるとともに、このマウント部の側部に、このマウント部を光軸に直交する方向に沿って直線状に移動させる送りねじ機構、あるいはラック及びピニオンなどを用いたギア列が上下方向に沿って設けられている（例えば、特許文献１参照。）。
【特許文献１】特開２００２−２０６６１５号公報（図２、図７）
【発明の開示】
【発明が解決しようとする課題】
【０００４】
しかしながら、上述の鏡筒支持装置では、マウント部を介して鏡筒を移動させる外力が、鏡筒の重心に対して移動方向に向かって偏った側、すなわちマウント部の重心に対してマウント部の移動方向に沿う中心線に対して片側だけに作用する一方で、ギア列には、回転を円滑にするために、回転を上下方向の移動に変換させる箇所に若干の隙間、すなわちがたを設ける必要がある。
【０００５】
このため、鏡筒の移動の際に、光軸と直交する平面内でマウント部が鏡筒とともに重心を中心に回転するという問題を有している。
【０００６】
また、振動などによる外力が鏡筒に加わった際には、がたの分だけ鏡筒が移動して光軸の位置がずれる問題もある。
【０００７】
そこで、マウント部の移動方向に沿ってガイドシャフトを設けるとともに、このガイドシャフトをガイドするスリーブを設け、これらガイドシャフトとスリーブとの嵌め合いの精度を向上して、鏡筒の回転を防止する構成が考えられるものの、ガイドシャフトとスリーブとの嵌め合いの精度を向上するために、部品の加工精度を向上させる必要があるので、製造工数、あるいは製造コストの抑制が容易でない。
【０００８】
本発明は、このような点に鑑みなされたもので、鏡筒の移動精度を容易に向上できる鏡筒支持装置及びこれを備えたプロジェクタ装置を提供することを目的とする。
【課題を解決するための手段】
【０００９】
請求項１記載の鏡筒支持装置は、光学機器本体に対して鏡筒を光軸と交差する方向に沿って移動可能に支持する鏡筒支持装置であって、前記鏡筒が取り付けられる被移動部材と、この被移動部材を光軸と交差する方向に沿って移動可能に支持する固定部材と、前記被移動部材の重心を通りこの被移動部材の移動方向に沿う仮想線を挟む両側で前記被移動部材に外力を作用させてこの被移動部材を前記固定部材に対して移動させる移動手段とを具備したものである。
【００１０】
そして、鏡筒が取り付けられる被移動部材を、光軸と交差する方向に沿って移動可能に固定部材で支持するとともに、被移動部材の重心を通りこの被移動部材の移動方向に沿う仮想線を挟む両側で移動手段が被移動部材に外力を作用させてこの被移動部材を固定部材に対して移動させるので、被移動部材が移動方向に対して重心を中心として回転することを防止し、鏡筒の移動精度を容易に向上することが可能になる。
【００１１】
請求項２記載の鏡筒支持装置は、請求項１記載の鏡筒支持装置において、移動手段は、固定部材に設けられ光軸と交差する方向に沿って配置される回動軸と、この回動軸と一体的に設けられ、この回動軸の回転に伴いこの回動軸の周方向に沿って揺動し、この揺動方向に沿って被移動部材に当接する揺動部材とを備えているものである。
【００１２】
そして、固定部材に設けられ光軸と交差する方向に沿って配置される回動軸と一体的に揺動部材を設け、回転軸の回転に伴いこの回転軸の周方向に沿って揺動した揺動部材が、この揺動方向に沿って被移動部材に当接することで、移動手段が比較的簡単な構成で実現されるとともに、省スペース化することが可能になる。
【００１３】
請求項３記載の鏡筒支持装置は、請求項２記載の鏡筒支持装置において、移動手段は、互いに略直交する二方向に回動軸がそれぞれ沿うように対をなして配置され、各揺動部材と被移動部材とは、互いに他方の前記揺動部材による前記被移動部材の移動方向に沿って配置された当接部を備えているものである。
【００１４】
そして、回動軸が互いに略直交する二方向にそれぞれ沿うように移動手段を対をなして配置し、各揺動部材と被移動部材とに、互いに他方の揺動部材による被移動部材の移動方向に沿って当接部を配置することで、当接部で被移動部材の移動をガイドすることが可能になる。
【００１５】
請求項４記載の鏡筒支持装置は、請求項１ないし３いずれか一記載の鏡筒支持装置において、被移動部材を固定部材に対して付勢する弾性部材を具備したものである。
【００１６】
そして、被移動部材を固定部材に対して弾性部材で付勢することで、振動などによる外力にて被移動部材が不意に移動したり、自重で下方に落下したりすることが防止される。
【００１７】
請求項５記載のプロジェクタ装置は、光源と、この光源から照射された光線を変調する光変調手段と、この光変調手段で変調された光線を投射する鏡筒と、光学機器本体と、この光学機器本体に対して前記鏡筒を移動可能に支持する請求項１ないし４いずれか一記載の鏡筒支持装置とを具備したものである。
【００１８】
そして、請求項１ないし４いずれか一記載の鏡筒支持装置により光学機器本体に対して鏡筒を移動可能に支持することで、鏡筒の移動精度を向上することが可能になる。
【００１９】
請求項６記載のプロジェクタ装置は、光源と、この光源から照射された光線を変調する光変調手段と、この光変調手段で変調された光線を投射する鏡筒と、光学機器本体と、この光学機器本体に対して前記鏡筒を移動可能に支持する請求項２ないし４いずれか一記載の鏡筒支持装置と、この鏡筒支持装置の回動軸に設けられ、この回動軸の周方向にピッチを有する第１の歯車と、回転可能に設けられ、前記光学機器本体に対する前記鏡筒の突出方向に沿って突出した回転操作手段と、この回転操作手段の回転を前記第１の歯車に伝達する第２の歯車とを具備したものである。
【００２０】
そして、請求項１ないし４いずれか一記載の鏡筒支持装置により光学機器本体に対して鏡筒を移動可能に支持することで、鏡筒の移動精度が向上され、移動手段が比較的簡単な構成で実現され、かつ省スペース化することが可能になるとともに、第２の歯車を介して第１の歯車に回転を伝達する回転操作手段を設けることで、回転操作手段の操作により鏡筒を容易に移動させることが可能になる。また、回転操作手段を、光学機器本体に対する鏡筒の突出方向に沿って突出させることで、全体の小型化が図られる。
【発明の効果】
【００２１】
本発明の鏡筒支持装置及びプロジェクタ装置によれば、被移動部材が移動方向に対して重心を中心として回転することを防止し、鏡筒の移動精度を容易に向上できる。
【発明を実施するための最良の形態】
【００２２】
以下、本発明の一実施の形態のプロジェクタ装置の構成を図１ないし図５を参照して説明する。
【００２３】
図５において、１はプロジェクタ装置で、このプロジェクタ装置１は、光学機器本体としての筐体２、この筐体２に光線を照射する光源３、この光源３から照射された光線を変調させる光変調手段４、光源３から照射された光線を光変調手段４に導く照明光学系５、光変調手段４で変調された光線を図示しないスクリーンに投射する投射光学系６、及び、これらを収納する外装ケース７を備えた液晶プロジェクタである。
【００２４】
光源３は、ハロゲンランプなどの白熱電球、あるいはメタルハライドランプなどの放電ランプである。
【００２５】
光変調手段４は、例えば３枚のＬＣＤパネルLr，Lg，Lbで構成され、これらＬＣＤパネルLr，Lg，Lbは、表示デバイスである透過型の液晶表示素子である。
【００２６】
照明光学系５は、２枚のダイクロイックミラーD1，D2、複数の反射鏡Ｍ及び図示しないレンズなどを備えている。
【００２７】
投射光学系６は、ダイクロイッククロスプリズムDXP、レンズ鏡筒である鏡筒11及びこの鏡筒11を筐体２に対して移動可能に支持する鏡筒支持装置12などを備えている。
【００２８】
外装ケース７には、図示しない電源装置、ファン及び制御装置などが収納されているとともに、表示装置及び操作装置がそれぞれ取り付けられている。
【００２９】
そして、光源３から照射された光線は、照明光学系を介し、２枚のダイクロイックミラーD1，D2で赤(Ｒ)、緑(Ｇ)、青(Ｂ)の色光に色分解され、それぞれＬＣＤパネルLr，Lg，Lbに入射する。そして、各ＬＣＤパネルLr，Lg，Lbは、入射した色光を映像信号処理回路などにて処理した映像信号に応じて変調させる。さらに、変調した色光は、ダイクロイッククロスプリズムDXPで色合成され、カラーの画像が鏡筒11を介してスクリーンに投射される。
【００３０】
以下、鏡筒11及び鏡筒支持装置12について説明する。なお、光源３からスクリーンに向かう光線の光軸Ｏに沿って、スクリーン側を前側、光源３側を後側とし、さらに、このプロジェクタ装置１の通常の設置状態に従い、光源３側から見て、この光軸Ｏに沿った方向に交差さらには直交する方向を垂直方向(上下方向)Ｖ、及び、光軸Ｏに沿った方向と垂直方向Ｖとに直交する方向を水平方向(左右方向)Ｈとして説明する。
【００３１】
鏡筒11は、図１、図３及び図４に示すように、例えばアルミニウム合金などにて形成されたカム筒及びガイド筒を備え、これら各筒を回動させることにより、内側に支持した複数のレンズの位置を光軸Ｏに沿って移動させ、画像のズーム調整及びピント調整をする。
【００３２】
また、鏡筒11の後端部近傍には、取付部である四角枠状のフランジ部21が外周側に突設されている。そして、このフランジ部21の四隅の近傍には、円孔状の取付孔22が形成され、これら取付孔22に、前側から固定具であるねじ23がそれぞれ挿入されるようになっている。
【００３３】
鏡筒支持装置12は、筐体２側に取り付けられる固定部材31と、この固定部材31に光軸Ｏと交差する方向に沿って移動可能に支持されるとともに鏡筒11を取り付ける被移動部材32と、互いに略直交する二方向である水平方向Ｈおよび垂直方向Ｖに沿って対をなして配置された移動手段33a，33bを有し被移動部材32を固定部材31に対して移動させる移動手段33とを備えている。
【００３４】
固定部材31は、被移動部材32を光軸Ｏと交差する垂直方向Ｖおよび水平方向Ｈに移動可能に支持するもので、固定ベース41と、この固定ベース41に組み合わされてねじ42などで固定される蓋体43とを有している。
【００３５】
固定ベース41は、例えば樹脂などで形成された基板部45を備えている。この基板部45の上下の端部には、筐体２に固定されるねじ孔などの図示しない取付部がそれぞれ形成されている。
【００３６】
また、基板部45の後部の左右両側部には、垂直方向Ｖに沿って基板部45の上下全体に亘って側壁部46，47が設けられている。また、基板部45の後部の下端部には、下壁部48が後方に向けて突設されている。この下壁部48は、水平方向Ｈに沿って基板部45の左右全体に亘って設けられ、側壁部46，47の下端部にそれぞれ連続している。さらに、基板部45の後部の上端部には、上壁部49が後方に向けて突設されている。この上壁部49は、水平方向Ｈに沿って基板部45の左右の中央部に設けられている。そして、これら各壁部46，47，48，49により、基板部45の後部に被移動部材32が嵌合する嵌合空間部50が形成されている。
【００３７】
さらに、基板部45の中央部には、光軸Ｏに沿って、多角形状の挿通穴55が穿設され、この挿通穴55に、鏡筒11の光端部が挿入され、あるいは光線が通過するようになっている。さらに、この挿通穴55の下端部及び一側部（図１に示す右側）には、移動手段33a，33bがそれぞれ取り付けられている。これら移動手段33a，33bは、ねじ56にて基板部45の前側に固定された当て板57と基板部45の前側とにより、固定ベース41の前側に回動可能に取り付けられ、かつ一部が嵌合空間部50内に突出している。
【００３８】
そして、基板部45の前側の一側部である側壁部47側には、移動手段33a，33bのそれぞれの一部が嵌合する嵌合凹部61，62がそれぞれ切り欠き形成されている。これら嵌合凹部61，62は、垂直方向Ｖに沿ってそれぞれ配置され、基板部45の上下に離間されている。そして、これら嵌合凹部61，62には、回転操作手段63がそれぞれ取り付けられている。
【００３９】
一方、蓋体43は、例えば１枚の略四角形状の金属板にて形成され、中央部に鏡筒11の後端部が挿入される挿入穴65が穿設された四角枠状に形成されている。また、この蓋体43の四隅には、取付孔66がそれぞれ穿設されている。さらに、この蓋体43の両側部近傍には、嵌合孔67がそれぞれ穿設されている。そして、蓋体43は、固定ベース41の側壁部46，47の後部にそれぞれ突設された嵌合突出部68を嵌合孔67に嵌合させ、後側から各取付孔66に挿入したねじ42を固定ベース41のねじ止め孔70に螺合することにより、蓋体43が嵌合空間部50を覆って固定ベース41に取り付けられている。そして、蓋体43を固定ベース41に取り付けた状態で、蓋体43が固定ベース41の基板部45と互いに平行に、かつ所定の間隔で対向している。
【００４０】
被移動部材32は、シフトベース71を備えている。このシフトベース71は、例えば合成樹脂にて略四角形状に形成され、固定ベース41と蓋体43との間である嵌合空間部50内に摺動可能に配置されている。また、このシフトベース71の中央部の前面には、鏡筒取付部72が形成されている。この鏡筒取付部72は、凹設された嵌合部73、この嵌合部73内に位置する円穴状の挿通部74、四隅の近傍に位置するねじ孔75、及び、左右のねじ孔75の近傍に突設された位置合わせ用の位置合わせ突出部76を備えている。そして、鏡筒11のフランジ部21に穿設された位置合わせ穴77に位置合わせ突出部76を嵌合させてフランジ部21を嵌合部73に嵌合させ、鏡筒11の後端部を挿通部74に挿入し、フランジ部21の取付孔22に前側から挿入したねじ23をねじ孔75に螺合して締め付けることで、鏡筒11がシフトベース71に一体的に固定されている。そして、ねじ孔75に螺合されたねじ23の先端部は、蓋体43の挿入穴65の四隅に切り欠き形成された切欠凹部78に嵌合している。
【００４１】
また、シフトベース71の前面には、四隅の近傍に円穴状の嵌合穴部81がそれぞれ設けられている。これら嵌合穴部81には、被移動部材32を固定部材31の蓋体43に対して付勢する弾性部材82がそれぞれ嵌合されている。これら弾性部材82は、弾性体としてのスプリング83と、このスプリング83に嵌着されるキャップ状の摩擦体84とを備えている。そして、これら弾性部材82は、摩擦体84と嵌合穴部81との間にスプリング83を保持することで、被移動部材32を蓋体43側である後側に押し付けるものであり、摩擦体84と固定ベース41との摩擦力、及び、シフトベース71と蓋体43の前面との摩擦力により、鏡筒11及び固定ベース41の自重に抗して、固定部材31に対する被移動部材32の位置が保持される。
【００４２】
さらに、シフトベース71には、各移動手段33にそれぞれ対応する位置、すなわちシフトベース71の下端部及び一側部に、それぞれ一対の当接部としてのガイド当接孔87が穿設されている。これらガイド当接孔87は、それぞれ角孔状に形成され、ガイド当接孔87aは、シフトベース71の左右方向である水平方向Ｈに沿って、ガイド当接孔87bは、シフトベース71の上下方向である垂直方向Ｖに沿って、それぞれ長手方向を有している。また、ガイド当接孔87aは、それぞれ水平方向Ｈに互いに離間され、被移動部材32の移動方向である水平方向Ｈに沿って略同一直線上に配置されている。さらに、ガイド当接孔87bは、それぞれ垂直方向Ｖに互いに離間され、垂直方向Ｖに沿って略同一直線上に配置されている。
【００４３】
そして、移動手段33a，33bは、図１及び図２に示すように、細長円柱状の回動軸91と、この回動軸91と一体的に設けられた一対の揺動部材としてのスイングアーム92，92とをそれぞれ有している。
【００４４】
回動軸91は、例えば金属などの部材で形成され、移動手段33aの回動軸91aは水平方向Ｈに沿って、移動手段33bの回動軸91bは垂直方向Ｖに沿って、それぞれ配置され、光軸Ｏと交差する方向に沿って配置されている。すなわち、各回動軸91a，91bは、光軸Ｏに対して立体交差する位置関係に配置されている。したがって、回動軸91は、それぞれ互いに略直交する二方向に沿って配置されている。
【００４５】
各スイングアーム92は、回動軸91の回動に伴ってこの回動軸91の周方向に沿って揺動し、この揺動方向に沿って被移動部材32に当接するものであり、回動軸91aに取り付けられるスイングアーム92aと、回動軸92bに取り付けられるスイングアーム92bとを有している。また、各スイングアーム92は、回動軸91に取り付けられる取付基端部93a、この取付基端部93aから突設された突出部93b、及び、この突出部93bの先端部に突設された当接部としてのスイング当接部93cをそれぞれ備え、回動軸91の軸方向に沿って長手状に形成されている。そして、スイングアーム92は、回動軸91の軸方向に互いに離間されてそれぞれ一体的に取り付けられている。
【００４６】
取付基端部93aは、回動軸91と同軸状の略円筒状に形成され、中心に回動軸91が挿通されて、この回動軸91と一体的に形成されている。
【００４７】
突出部93bは、取付基端部93aから回動軸91の軸方向に略直交する方向、すなわち回動軸91の径方向に沿って突出している。
【００４８】
スイング当接部93cは、取付基端部93aと軸方向が平行な略円柱状に形成されている。すなわち、スイング当接部93cは、各回動軸91a，91bの軸方向に沿って長手状に形成されている。そして、各移動手段33a，33bのスイング当接部93cは、これら移動手段33a，33bを固定ベース41に取り付けた状態で嵌合空間部50内に突出し、ガイド当接孔87a，87bの長手方向に沿ってそれぞれ嵌合している。
【００４９】
さらに、スイングアーム92は、長手寸法及び幅寸法がそれぞれガイド当接孔87の長手寸法及び幅寸法よりも小さく形成されている。そして、各スイングアーム92a，92bは、回動軸91を中心とする揺動により、被移動部材32の重心である鏡筒11を取り付けた被移動部材32の重心Ｇを通りこの被移動部材32の移動方向である垂直方向Ｖ及び水平方向Ｈに沿う仮想線L1，L2を挟む両側、すなわち図１に示す左右両側及び上下両側にそれぞれ外力を与えるものである。
【００５０】
また、回転操作手段63は、移動手段33aを操作する回転操作手段63aと、移動手段33bを操作する回転操作手段63bとを備えている。これら回転操作手段63a，63bは、回転軸95を備え、この回転軸95には、各移動手段33a，33bの回動軸91に設けられた第１の歯車としてのウォームホイール96に歯合してウォームギアを構成する第２の歯車としてのウォーム97が一体に設けられている。さらに、これら回転操作手段63a，63bは、回転軸95が挿通されるとともに回転操作手段63を固定ベース41に取り付け可能にする取付板98、及び、回転軸95のウォーム97と反対側の端部に一体に設けられた回転操作部99をそれぞれ有している。
【００５１】
回転軸95は、先端部がウォーム97よりも後方に突出し、嵌合凹部61，62にそれぞれ穿設された丸孔状の軸支孔101に嵌合して回転可能に軸支されている。
【００５２】
ウォームホイール96は、移動手段33aの回動軸91に一体的に設けられたウォームホイール96aと、移動手段33bの回動軸91に一体的に設けられたウォームホイール96bとを備えている。
【００５３】
ウォームホイール96aは、回動軸91aの一端部（図１に示す右側）に位置したスイングアーム92の側方に位置している。また、ウォームホイール96bは、回動軸91bの上側に位置したスイングアーム92の下方に位置している。
【００５４】
そして、各ウォームホイール96a，96bは、回動軸91に同軸状に設けられた円筒状の基端部102aを備え、この基端部102aの一端部には、ギア部102bが突設されている。このギア部102bは、基端部102aの中心軸を中心とする略扇形状に形成され、基端部102aと同軸状に設けられ、基端部102aの径方向に沿って突出している。さらに、このギア部102bは、スイングアーム92の揺動方向である周方向に沿って略等間隔のピッチを有している。そして、ウォームホイール96a，96bは、嵌合凹部61，62に凹状に切り欠き形成された切欠嵌合部103，104に、それぞれのギア部102bの後端部が嵌合している。
【００５５】
ウォーム97は、回転操作部99の回転をウォームホイール96a，96bに伝達するウォーム97a，97bを備えている。そして、ウォーム97は、図２に示すように、略円筒状に形成され、各回転操作手段63a，63bの回転軸95a，95bと一体的に設けられている。まら、各ウォーム97a，97bは、回動軸91と略直交する方向に沿ってそれぞれ軸方向を有し、軸方向に沿って略等間隔のピッチを有している。また、ウォーム97a，97bは、それぞれ嵌合凹部61，62に嵌合し、各回転操作手段63a，63bの回転軸95a，95bと一体に回転する。
【００５６】
取付板98は、例えば板状の金属などの部材でクランク状に屈曲形成され、固定ベース41の基板部45の前面に固定される固定部98a、この固定部98aから前方へと延設された延設部98b、及び、この延設部98bから延設され、回転軸95が挿通される挿通部98cを有し、それぞれが互いに略直交するように屈曲されてクランク状に形成されている。
【００５７】
固定部98aは、垂直方向Ｖに一対の嵌合孔105，105が互いに離間されて穿設され、これら嵌合孔105，105の間にねじ孔106が穿設されている。
【００５８】
嵌合孔105，105には、固定ベース41の嵌合凹部61，62の各上部に前方に突設された円柱状の係合突出部107，107がそれぞれ嵌合して取付板98を固定ベース41に対して位置決めする。
【００５９】
ねじ孔106には、ねじ108が挿入され、このねじ108が、係合突出部107，107の間に穿設されたねじ止め孔109に螺合されて締め付けられることで、回転操作手段63が固定部材31に固定される。
【００６０】
回転操作部99は、各回転軸95a，95bと同軸状に設けられた回転操作部99a，99bを備えている。これら回転操作部99a，99bは、回転軸95よりもそれぞれ径大に形成されている。また、各回転操作部99a，99bは、図５に示すように、外側の一部が筐体２の側方に突出している。そして、回転操作部99は、回転させることにより、回転軸95とともにウォーム97を回転させ、このウォーム97に歯合されたウォームホイール96の回動により回動軸91を回動させて、スイングアーム92を揺動させ、このスイングアーム92の揺動により被移動部材32を固定部材31に対して垂直方向Ｖ、あるいは水平方向Ｈに沿って移動させる。
【００６１】
そして、鏡筒11及び鏡筒支持装置12の組み立て工程は、例えば、まず固定ベース41の前側から移動手段33a，33bを、それぞれ当て板57で押さえてねじ56でねじ止めして取り付ける。次いで、シフトベース71に弾性部材82を組み付けた状態で、このシフトベース71に固定ベース41を重ねて蓋体43で挟むととともに、移動手段33の各スイングアーム92のスイング当接部93cを、それぞれガイド当接孔87に嵌合させて、取付孔66に挿入した各ねじ42を締め付けてねじ止め孔70にねじ止めして、固定部材31にて被移動部材32を挟む。さらに、鏡筒11の後側を固定ベース41の挿通穴55から挿入して各取付孔22にねじ23を挿入してねじ孔75に締め付けることで、鏡筒11をシフトベース71に固定する。そして、回転操作手段63の各回転軸95の先端部をそれぞれ軸支孔101に嵌合させるとともに、取付板98の嵌合孔105に係合突出部107を嵌合させた状態で、ねじ108をねじ孔106に挿入してねじ止め孔109に締め付けて、ウォーム97をウォームホイール96a，96bにそれぞれ歯合させて取り付けて、組み立てが完了する。
【００６２】
そして、この鏡筒支持装置12を筐体２に取り付け、光源３を点灯させた状態で、各回転操作部99を回転させることにより、光軸Ｏと直交する平面に沿って鏡筒11を移動させ、画像の投射位置を調整する。
【００６３】
すなわち、垂直方向Ｖの位置調整については、回転操作手段63aの回転操作部99aを回転させると、回転軸95aとともにウォーム97aが回転し、このウォーム97aに歯合されたウォームホイール96aが周方向に回動することで、各スイングアーム92aが回動軸91aを中心に揺動する。そして、ガイド当接孔87aに嵌合されたこれらスイングアーム92aのスイング当接部93cがガイド当接孔87aの上側、あるいは下側の内壁にそれぞれ当接することで、仮想線L1を挟む両側でそれぞれ被移動部材32に上方向、あるいは下方向の外力が与えられ、移動手段33bの各スイングアーム92bとガイド当接孔87bとが嵌合して摺接することにより垂直方向Ｖにガイドされつつ、被移動部材32が上下方向に移動する。また、この被移動部材32の垂直方向Ｖの移動範囲は、ガイド当接孔87bの長手方向の両端部に、移動手段33bの各スイングアーム92bのスイング当接部93cの長手方向の両端部が当接することで規制されている。
【００６４】
同様に、水平方向Ｈの位置調整については、回転操作手段63bの回転操作部99bを回転させると、回転軸95b、ウォーム97b、及び、ウォームホイール96bが順次回動し、回動軸91bを中心に揺動した各スイングアーム92bのスイング当接部93cがガイド当接孔87bの幅方向の両側部にそれぞれ当接することで、仮想線L2の両側でそれぞれ被移動部材32に左方向、あるいは右方向の外力が与えられ、移動手段33aの各スイングアーム92aとガイド当接孔87aとが嵌合して摺接することにより水平方向Ｈにガイドされつつ、被移動部材32が左右方向に移動する。また、この被移動部材32の水平方向Ｈの移動範囲は、ガイド当接孔87aの長手方向の両端部に、移動手段33aの各スイングアーム92aのスイング当接部93cの長手方向の両端部が当接することで規制されている。
【００６５】
このように、上記一実施の形態では、鏡筒11が取り付けられる被移動部材32を、光軸Ｏと交差する垂直方向Ｖ及び水平方向Ｈに沿って移動可能に固定部材31で支持するとともに、鏡筒11を取り付けた被移動部材32の重心Ｇを通りこの被移動部材32の移動方向に沿う仮想線L1，L2を挟む両側で移動手段33a，33bが被移動部材32に外力を作用させてこの被移動部材32を固定部材31に対して移動させる構成とした。
【００６６】
この結果、鏡筒11を取り付けた被移動部材32の重心Ｇに対して仮想線L1，L2を挟む両側でバランスよく被移動部材32に外力を与えることができるので、被移動部材32が移動方向に対して重心Ｇを中心として回転することを防止し、鏡筒11の移動精度を容易に向上できる。
【００６７】
また、回動軸91と一体的にスイングアーム92を設け、回転軸91の回転に伴いこの回転軸91の周方向に沿って揺動したスイングアーム92が、この揺動方向に沿って被移動部材32に当接することで、移動手段33を比較的簡単な構成で実現できるとともに、スイングアーム92の配設スペースを小さくして、省スペース化できる。
【００６８】
さらに、回動軸91が互いに略直交する垂直方向Ｖと水平方向Ｈとにそれぞれ沿うように移動手段33a，33bを配置し、被移動部材32と各スイングアーム92とに、互いに他方の移動手段33のスイングアーム92による被移動部材32の移動方向に沿って長手方向を有するようにそれぞれガイド当接孔87a，87bとスイング当接部93cとを配置することにより、これらガイド当接孔87a，87b及びスイング当接部93cとが嵌合して摺接することにより被移動部材32の移動をそれぞれガイドでき、被移動部材32の移動方向を定めることができる。
【００６９】
しかも、ガイド当接孔87a，87bにスイングアーム92a，92bのスイング当接部93cを嵌合させることで、これらガイド当接孔87a，87bの長手方向の両端部とスイング当接部93cの長手方向の両端部との当接により被移動部材32の移動範囲を容易に規制できる。
【００７０】
また、被移動部材32を固定部材31に対して弾性部材82で付勢することで、振動などによる外力にて被移動部材32が不意に移動したり、自重で下方に落下したりすることを防止できる。
【００７１】
さらに、上記の各構成について、送りねじ、あるいはギア列などを用いたり、ガイドシャフトとこのガイドシャフトが嵌合するスリーブとを設けてその嵌め合いの精度を向上させたりすることなく、構造を簡略化して、製造コストを低減できる。
【００７２】
そして、鏡筒支持装置12により筐体２に対して鏡筒11を移動可能に支持することで、鏡筒11の移動精度を向上できる。
【００７３】
また、ウォーム97を介してウォームホイール96に回転を伝達する回転操作手段63を設けることで、回転操作手段63の操作により鏡筒11を容易に移動させることができる。
【００７４】
さらに、ウォーム97とウォームホイール96とを用いることにより、ウォーム97のねじの傾き角と摩擦角とを適宜設定することで、ウォームホイール96側からの外力でウォーム97を回動しない構造とすることもできる。この場合には、鏡筒11の自重などによりウォームホイール96が回動することがなく、鏡筒11の自重などにより鏡筒11の位置が変化することを、より確実に防止できる。
【００７５】
そして、回転操作手段63を、筐体２に対する鏡筒11の突出方向に沿って突出させると、鏡筒11と鏡筒支持装置12とにより略直交する二方向を囲まれた角部の内側に回転操作手段63が配置されることになり、例えば回転操作手段を筐体の上側に突出させる場合と比較して、プロジェクタ装置１の全体の大きさが大きくなることを防止でき、プロジェクタ装置１の小型化を図ることができる。
【００７６】
また、スイングアーム92の当接部93cを略円柱状に形成することにより、スイングアーム92を揺動角度に拘らずこれらスイングアーム92とガイド当接孔87a，87bとが常に略等しい角度で当接するため、移動手段33が被移動部材32に与える外力を略一定とすることができ、鏡筒11の移動精度をより向上できる。
【００７７】
なお、上記一実施の形態において、鏡筒11を垂直方向Ｖ及び水平方向Ｈを軸方向とする構成に限定されず、例えば斜め方向を軸方向として配置することも可能である。
【００７８】
また、プロジェクタ装置１の光変調手段４、照明光学系５、及び、投射光学系６などについては、適宜の構成を採ることが可能である。例えば、赤(Ｒ)、緑(Ｇ)、青(Ｂ)のカラーフィルタを用いた１枚の表示デバイスを用いて、ダイクロイックミラーD1，D2、あるいはダイクロイッククロスプリズムDXPなどを用いない構成も可能である。
【００７９】
さらに、光変調手段４は、透過型の液晶表示素子を用いた構成について説明したが、反射型の表示素子などを用いた構成にも適用できる。
【図面の簡単な説明】
【００８０】
【図１】本発明の一実施の形態の鏡筒支持装置を示す正面図である。
【図２】同上鏡筒支持装置の移動手段を示す斜視図である。
【図３】同上鏡筒支持装置を示す分解斜視図である。
【図４】同上鏡筒支持装置を示す分解斜視図である。
【図５】同上鏡筒支持装置を備えたプロジェクタ装置を示す説明図である。
【符号の説明】
【００８１】
１    プロジェクタ装置
２    光学機器本体としての筐体
３    光源
４    光変調手段
11    鏡筒
12    鏡筒支持装置
31    固定部材
32    被移動部材
33    移動手段
63    回転操作手段
82    弾性部材
87    当接部としてのガイド当接孔
91    回動軸
92    揺動部材としてのスイングアーム
93c   当接部としてのスイング当接部
96    第１の歯車としてのウォームホイール
97    第２の歯車としてのウォーム
Ｏ    光軸
【図１】
2005195702.tif 000003
【図２】
2005195702.tif 000004
【図３】
2005195702.tif 000005
【図４】
2005195702.tif 000006
【図５】
2005195702.tif 000007